(57)【要約】【課題】電池を交換しても無線通信時に必要となる情報を再設定することなく、記憶している情報の信頼性を向上でき、情報が正常か異常かを外部に早く通知することで、作業者の結果の見落としを低減できる検針用無線装置を提供する。【解決手段】メータと無線通信を行うことにより、メータに保持されているデータを収集して検針を行う電池駆動の検針用無線装置であって、電池１３を交換可能に構成したコネクタ１４と、無線通信時に必要となる情報を記憶する不揮発性の情報記憶部９〜１１と、情報記憶部に記憶された情報に対して予め算出した誤り検出符号を記憶する誤り検出符号記憶部１５と、電池を交換したときに、情報記憶部から読み出した情報に対する誤り検出符号を算出してこの誤り検出符号と誤り検出符号記憶部から読み出した誤り検出符号との確認を行う制御部６と、制御部により確認された確認結果を報知する報知部１２とを備える。【選択図】      図２
2006222906.tif 000002
【特許請求の範囲】
【請求項１】
メータと無線通信を行うことにより、メータに保持されているデータを収集して検針を行う電池駆動の検針用無線装置であって、
前記電池を交換可能に構成した電池交換部と、
前記無線通信時に必要となる情報を記憶する不揮発性の情報記憶部と、
前記情報記憶部に記憶された情報に対して予め算出した誤り検出符号を記憶する誤り検出符号記憶部と、
前記電池を交換したときに、前記情報記憶部から読み出した情報に対する誤り検出符号を算出してこの誤り検出符号と前記誤り検出符号記憶部から読み出した誤り検出符号との確認を行う制御部と、
前記制御部により確認された確認結果を報知する報知部と、
を備えることを特徴とする検針用無線装置。
【請求項２】
メータと無線通信を行うことにより、メータに保持されているデータを収集して検針を行う電池駆動の検針用無線装置であって、
前記電池を交換可能に構成した電池交換部と、
前記無線通信時に必要となる情報を記憶する不揮発性の情報記憶部と、
前記情報記憶部に記憶された情報に対して予め算出した誤り訂正符号を記憶する誤り訂正符号記憶部と、
前記電池を交換したときに、前記情報記憶部に記憶された情報に対する誤り訂正符号を算出してこの誤り訂正符号と前記誤り訂正符号記憶部に記憶された誤り訂正符号との確認を行い、前記情報が誤り検出となった場合には、前記情報に対して誤り訂正を行い、再度誤り訂正符号の確認を行う制御部と、
前記制御部により確認された確認結果を報知する報知部と、
を備えることを特徴とする検針用無線装置。
【請求項３】
前記報知部は、前記制御部により確認された確認結果を鳴動により報知することを特徴とする請求項１又は請求項２記載の検針用無線装置。
【請求項４】
前記電池の交換回数をカウントする電池交換回数カウント部と、
前記電池交換回数カウント部でカウントされた前記電池の交換回数を出力する電池交換回数出力部と、
を備えることを特徴とする請求項１乃至請求項３のいずれか１項記載の検針用無線装置。
【発明の詳細な説明】
【技術分野】
【０００１】
本発明は、電気、ガス、水道等のメータなどとの通信を無線で行う検針用無線装置に関し、特に電池駆動でかつ電池交換が可能な構造の検針用無線装置に関する。
【背景技術】
【０００２】
従来、無線により遠隔から検針できる検針用無線システムが知られている。この検針用無線システムでは、各戸に設置されるメータ等の端末装置には無線装置子機となる無線装置が接続されている。検針員は、例えばハンディターミナルといった携帯端末装置に無線装置親機となる無線装置を接続し、メータに接続されている無線装置子機と通信を行うことにより、メータの指針値等といった内部情報の収集やメータの設定変更等を行う。
【０００３】
従来のこの種の無線装置親機や無線装置子機などの無線装置は、必ずしも外部からＡＣ１００Ｖなどの電源を供給することができる環境に設置されるわけではない。このため、無線装置を電池で駆動とする場合が多く、無線装置の低消費電力化が要求されている。
【０００４】
また、従来の無線装置では、電池がなくなった場合には、無線装置を全て廃棄していたため、電池はプリント基板に半田付けされ固定されていた。
【０００５】
一方、近年、環境破壊が問題となっており、特に産業廃棄物の処理方法が重要視され、電子機器の分別収集が推進されている。また、産業廃棄物を削減する観点から、電子機器の長寿命化も検討されている。
【０００６】
例えば、特許文献１の初期登録システムでは、無線装置に内蔵される電池を容易に交換することで、無線装置の長寿命化を図っている。特許文献１の初期登録システムでは、電池を交換された端末装置が、初回電源投入時と同様に内部の送信手段から「要求信号」を外部の通信装置に対して送信すると共に、計測手段を動作させる。計測手段が予め定められた時間の計測を完了してしまい、その旨を識別符号確認手段へ出力する。識別符号確認手段は記憶手段に「機器識別符号」、「無線システム識別符号」、「チャネル数／チャネルグループ」、「受信周期」等のうち少なくとも１つが記憶されている旨を動作判定手段へ出力している。
【特許文献１】特開２００３−３３２９３３号公報
【発明の開示】
【発明が解決しようとする課題】
【０００７】
ところで、上述した従来の検針用無線装置は、施工時に相手無線装置と通信するのに必要な情報として、相手局の識別符号、通信すべき周波数などを設定している。しかし、電池を交換すると、これらの情報は消去されてしまうため、電池交換後に再度、これらの情報を設定する必要がある。
【０００８】
しかし、例えば、これらの無線装置子機は、メータと配線し、メータや壁などに固定されていたり、設置場所が屋外の家の裏側などの行き難い場所にあったり、壁の上側に設置されていて手が届かない場所にあったり、前記情報を再設定するには手間がかかってしまうという問題がある。
【０００９】
また、特許文献１の技術にあっては、通信するのに必要な情報が正常であるか異常であるかの判断が難しく、例えば、電池の取り外し時や取り付け時（電池交換時）に発生する電源のノイズなどで前記情報が一部壊れてしまっていてもわからない。このため、電池の取り外し時や取り付け時以降に正常な通信ができなくなるという問題がある。
【００１０】
また、前記情報が異常であると判断できた場合でも、自動的に電波を間欠的な受信間隔以上送出するため、周辺の無線装置（組でない無線装置）も必ずキャリアセンス時に電波を検出し、データを受信するために無線装置が無駄に起動してしまい電池を消耗してしまう。
【００１１】
また、電波を間欠的な受信間隔以上送出する必要があり、電池を交換する時から情報が異常であることを表示する時までに時間がかかってしまうため、作業者が結果を見落としてしまうという問題がある。また、機器を従来よりも長期間使用するため、機器の信頼性をさらに確保する必要があった。
【００１２】
本発明は、電池交換可能で、電池を交換しても無線通信時に必要となる情報を再設定することなく、記憶している情報の信頼性を向上でき、該情報が正常か異常かを外部に早く通知することで、作業者の結果の見落としを低減でき、しかも電波の送出を抑えることにより周波数の有効利用が可能となり、周辺機器の電池の消耗を抑えることが可能な検針用無線装置を提供することにある。
【課題を解決するための手段】
【００１３】
上記課題を解決するため、請求項１の発明は、メータと無線通信を行うことにより、メータに保持されているデータを収集して検針を行う電池駆動の検針用無線装置であって、前記電池を交換可能に構成した電池交換部と、前記無線通信時に必要となる情報を記憶する不揮発性の情報記憶部と、前記情報記憶部に記憶された情報に対して予め算出した誤り検出符号を記憶する誤り検出符号記憶部と、前記電池を交換したときに、前記情報記憶部から読み出した情報に対する誤り検出符号を算出してこの誤り検出符号と前記誤り検出符号記憶部から読み出した誤り検出符号との確認を行う制御部と、前記制御部により確認された確認結果を報知する報知部とを備えることを特徴とする。
【００１４】
請求項２の発明は、メータと無線通信を行うことにより、メータに保持されているデータを収集して検針を行う電池駆動の検針用無線装置であって、前記電池を交換可能に構成した電池交換部と、前記無線通信時に必要となる情報を記憶する不揮発性の情報記憶部と、前記情報記憶部に記憶された情報に対して予め算出した誤り訂正符号を記憶する誤り訂正符号記憶部と、前記電池を交換したときに、前記情報記憶部に記憶された情報に対する誤り訂正符号を算出してこの誤り訂正符号と前記誤り訂正符号記憶部に記憶された誤り訂正符号との確認を行い、前記情報が誤り検出となった場合には、前記情報に対して誤り訂正を行い、再度誤り訂正符号の確認を行う制御部と、前記制御部により確認された確認結果を報知する報知部とを備えることを特徴とする。
【００１５】
請求項３の発明では、請求項１又は請求項２記載の検針用無線装置において、前記報知部は、前記制御部により確認された確認結果を鳴動により報知することを特徴とする。
【００１６】
請求項４の発明は、請求項１乃至請求項３のいずれか１項記載の検針用無線装置において、前記電池の交換回数をカウントする電池交換回数カウント部と、前記電池交換回数カウント部でカウントされた前記電池の交換回数を出力する電池交換回数出力部とを備えることを特徴とする。
【発明の効果】
【００１７】
第１の発明によれば、電池交換部を用いたので、電池交換可能となり、不揮発性の情報記憶部及び誤り検出符号記憶部を用いたので、電池を交換しても無線通信時に必要となる情報を再設定することがない。また、電池を交換したときに、制御部は、情報記憶部から読み出した情報に対する誤り検出符号を算出し誤り検出符号と誤り検出符号記憶部から読み出した誤り検出符号との確認を行い、報知部は、確認された確認結果を報知するので、記憶している情報の信頼性を向上でき、情報が正常か異常かを外部に早く通知することで、作業者の結果の見落としを低減でき、しかも電波の送出を抑えることにより周波数の有効利用が可能となり、周辺機器の電池の消耗を抑えることができる。
【００１８】
請求項２の発明によれば、電池を交換したときに、制御部は、情報記憶部に記憶された情報に対する誤り訂正符号を算出し誤り訂正符号と誤り訂正符号記憶部に記憶された誤り訂正符号との確認を行い、情報が誤り検出となった場合に、情報に対して誤り訂正を行い、再度誤り訂正符号の確認を行い、報知部は、制御部により確認された確認結果を報知するので、請求項１の効果と同様な効果が得られるとともに、記憶回路に記憶している情報が誤っていても修復することができるため、電源などのノイズの影響を受けても無線通信時に必要となる情報の信頼性を向上できる。
【００１９】
請求項３の発明によれば、報知部は、制御部により確認された確認結果を鳴動により報知するので、確認結果を把握できる。
【００２０】
請求項４の発明によれば、電池交換回数カウント部が電池の交換回数をカウントすると、電池交換回数出力部は、電池交換回数カウント部でカウントされた電池の交換回数を出力するので、電池交換回数を表示したり、外部に通知することもできる。
【発明を実施するための最良の形態】
【００２１】
以下、本発明の実施例を、図面を参照しながら詳細に説明する。
【実施例１】
【００２２】
図１は本発明の実施例１に係る検針用無線装置を含む検針用無線システムの構成を示すブロック図である。この検針用無線システムは、無線装置親機１、無線装置子機２（２ａ〜２ｎ）、ガスメータ３（３ａ〜３ｎ）、通信端末装置４及びセンタ装置５から構成されている。
【００２３】
無線装置親機１は、通信端末装置４と電話回線などの通信ネットワークを介してセンタ装置５に接続されている。無線装置子機２は、ガスメータ３に接続されている。なお、メータとしては、ガスメータ以外に、例えば電気、水道等の使用量を計量するための電力メータ、水道メータ等を使用することもできる。
【００２４】
この検針用無線システムは、センタ装置５からの情報を電話回線などの通信ネットワークを介して通信端末装置４により無線装置親機１に送り、無線装置親機１から無線装置子機２には無線通信を用い、無線装置子機２からガスメータ３に送る。また、検針用無線システムは、ガスメータ３からの情報を無線装置子機２から無線装置親機１へ無線通信を用い、無線装置親機１から通信端末装置４と電話回線などの通信ネットワークを介してセンタ装置５に送る。
【００２５】
無線装置親機１は、通信端末装置４に着脱可能に構成されており、無線装置子機２との間の無線通信を制御する。この無線装置親機１は、図２に示すように、制御回路６、無線回路７、インタフェース（Ｉ／Ｆ）回路８、自局の識別符号記憶回路９、相手局の識別符号記憶回路１０、周波数記憶回路１１、表示回路１２、電池１３、コネクタ１４、誤り検出符号記憶回路１５から構成されている。
【００２６】
制御回路６は、例えばマイクロコンピュータから構成されており、通信端末装置４との通信をＩ／Ｆ回路８を介して行ない、無線装置子機２との無線通信を無線回路７を介して行うように制御する。無線回路７は、制御回路６からの信号を変調してアンテナから送信すると共に、アンテナで受信された信号を復調して制御回路６に送る。Ｉ／Ｆ回路８は、制御回路６と通信端末装置４との間の信号の送受を制御する。
【００２７】
自局の識別符号記憶回路９は、無線通信時に必要となる情報として、無線送信データに付加すべき自局の識別符号を記憶する。この自局の識別符号記憶回路９に記憶される自局の識別符号は予め決定されており、制御回路６によって読み出される。
【００２８】
相手局の識別符号記憶回路１０は、無線通信時に必要となる情報として、無線送信データに付加すべき相手局の識別符号（無線通信を行う無線装置子機２の識別符号）を記憶する。この相手局の識別符号記憶回路１０に記憶される相手局の識別符号は予め決定されており、制御回路６によって読み出される。
【００２９】
周波数記憶回路１１は、無線通信時に必要となる情報として、無線送信データに付加すべき無線通信する周波数を記憶する。この周波数記憶回路１１に記憶される無線通信周波数は予め決定されており、制御回路６によって読み出される。
【００３０】
誤り検出符号記憶回路１５は、自局の識別符号記憶回路９、相手局の識別符号記憶回路１０、周波数記憶回路１１のそれぞれの情報に対して予め算出した誤り検出符号を記憶する。即ち、自局の識別符号に対する誤り検出符号、相手局の識別符号に対する誤り検出符号、周波数に対する誤り検出符号を記憶する。
【００３１】
制御回路６は、電池１３を交換したとき、相手局の識別符号記憶回路１０、周波数記憶回路１１、及び誤り検出符号記憶回路１５から各々の情報を読み出し、相手局の識別符号記憶回路１０から読み出した相手局の識別符号に対して算出した誤り検出符号と、誤り検出符号記憶回路１５から読み出した、相手局の識別符号に対する誤り検出符号との一致確認を行う。
【００３２】
また、制御回路６は、周波数記憶回路１１から読み出した周波数に対して算出した誤り検出符号と、誤り検出符号記憶回路１５から読み出した、周波数に対する誤り検出符号との一致確認を行う。この誤り検出符号の確認処理としては、例えばＣＲＣ符号チェック方式がある。
【００３３】
自局の識別符号記憶回路９、相手局の識別符号記憶回路１０、周波数記憶回路１１、及び誤り検出符号記憶回路１５は、電池１３を交換時にも情報が消去されないように、不揮発性の記憶回路で構成されている。不揮発性の記憶回路としては、例えばフラッシュメモリやＥＥＰＲＯＭなどがある。
【００３４】
また、この他として受信間隔や需要家ＩＤ等を記憶しても良い。  
電池１３は、コネクタ１４（本発明の電池交換部に対応）に取り付け及び取り外し可能な構成（電池交換が可能な構造）となっていて、コネクタ１４を介して前記各回路に電源を供給するようになっている。なお、電池１３と各回路とはコネクタ１４で接続せずに、電池ホルダや端子台を使用しても同様な効果が得られる。表示回路１２は、制御回路６によって確認された誤り検出符号の確認結果を表示する。
【００３５】
次に、このように構成される実施例１に係る無線装置親機の動作を図３に示すフローチャートを参照しながら説明する。
【００３６】
まず、古い電池１３をコネクタ１４から取り外して新しい電池１３をコネクタ１４に取り付ける。即ち、電池１３を交換すると（ステップＳ１）、制御回路６は、コネクタ１４を介して電池１３による電源投入を認識し、相手局の識別符号記憶回路１０から相手局の識別符号、周波数記憶回路１１から周波数、及び誤り検出符号記憶回路１５から誤り検出符号の各々の情報を読み出す（ステップＳ２）。
【００３７】
次に、制御回路６は、相手局の識別符号記憶回路１０から読み出した相手局の識別符号に対して算出した誤り検出符号と、誤り検出符号記憶回路１５から読み出した、相手局の識別符号に対する誤り検出符号との一致確認を行う。また、制御回路６は、周波数記憶回路１１から読み出した周波数に対して算出した誤り検出符号と、誤り検出符号記憶回路１５から読み出した、周波数に対する誤り検出符号との一致確認を行う。即ち、誤り検出符号の確認を行う（ステップＳ３）。
【００３８】
ここで、誤り検出符号同士が一致した場合、即ち、相手局の識別符号、及び周波数の各情報について誤りが検出されない（誤り未検出）場合には、表示回路１２は、誤り未検出であることの表示を行い（ステップＳ４）、動作の継続が行われる（ステップＳ５）。
【００３９】
一方、誤り検出符号同士が一致しない場合、即ち、相手局の識別符号、及び周波数の各情報について誤りが検出された（誤り検出）場合には、表示回路１２は、誤り検出したことの表示を行う（ステップＳ６）。その後、制御回路６は、相手局の識別符号記憶回路１０及び周波数記憶回路１１に、相手局の識別符号および周波数を再設定する（ステップＳ７）。相手局の識別符号及び周波数の再設定は、例えば、Ｉ／Ｆ回路８を介して外部の通信端末装置４やセンタ装置５から行うことができる。
【００４０】
また、表示回路１２にＬＥＤを用いた場合には、ステップＳ４の誤り未検出を例えばＬＥＤ点灯とし、ステップＳ６の誤り検出を例えばＬＥＤ点滅する等して区別することで、無線通信時に必要となる情報が記憶されている情報が正常か異常かを外部に通知しても良い。
【００４１】
なお、実施例１では、無線装置親機１のみを図２に示すような構成（電池交換可能な構成）としたが、例えば、無線装置子機２のみを図２に示す無線装置親機１のような構成（電池交換可能な構成）としても良く、あるいは、無線装置親機１及び無線装置子機２の両方を図２に示すような構成（電池交換可能な構成）としても良い。
【００４２】
また、無線装置親機１と通信端末装置４が一体となったり、無線装置子機２とガスメータ３が一体となる構成としても良い。
【００４３】
このように、実施例１に係る検針用無線装置によれば、電池交換可能な無線装置とし、電池を交換しても無線通信時に必要となる情報を再設定することなく、かつ、記憶している情報の信頼性を向上でき、記憶回路に記憶している情報が正常か異常かを外部に早く通知することで、作業者の結果の見落としを低減でき、しかも電波の送出を抑えることにより周波数の有効利用が可能となり、周辺機器の電池の消耗を抑えることが可能な検針用無線装置を提供することができる。
【実施例２】
【００４４】
図４は本発明の実施例２に係る無線装置親機の構成を示すブロック図である。本発明の実施例２に係る検針用無線装置は、図２に示す実施例１の無線装置親機１の表示回路１２に代えて、実施例２の無線装置親機１ａに鳴動回路１６を設けたことを特徴とし、無線装置親機１ａのその他の構成は、図２に示す実施例１の無線装置親機１の構成と同一構成である。本発明の実施例２に係る検針用無線システムの構成は、図１に示した実施例１に係る検針用無線システムの構成と同じである。
【００４５】
鳴動回路１６は、例えば、圧電ブザーなどであり、制御回路６ａによって確認された誤り検出符号の確認結果を鳴動により報知する。
【００４６】
次に、このように構成される実施例２に係る無線装置親機の動作を図５に示すフローチャートを参照しながら説明する。
【００４７】
まず、電池１３を交換すると（ステップＳ１）、制御回路６ａは、コネクタ１４を介して電池１３による電源投入を認識し、相手局の識別符号記憶回路１０から相手局の識別符号、周波数記憶回路１１から周波数、及び誤り検出符号記憶回路１５から誤り検出符号の各々の情報を読み出す（ステップＳ２）。
【００４８】
次に、制御回路６ａは、相手局の識別符号記憶回路１０から読み出した相手局の識別符号に対して算出した誤り検出符号と、誤り検出符号記憶回路１５から読み出した、相手局の識別符号に対する誤り検出符号との一致確認を行う。また、制御回路６は、周波数記憶回路１１から読み出した周波数に対して算出した誤り検出符号と、誤り検出符号記憶回路１５から読み出した、周波数に対する誤り検出符号との一致確認を行う。即ち、誤り検出符号の確認を行う（ステップＳ３）。
【００４９】
ここで、誤り検出符号同士が一致した場合、即ち、相手局の識別符号、及び周波数の各情報について誤りが誤り未検出の場合には、鳴動回路１６ａは、誤り未検出であることの鳴動を行い（ステップＳ８）、動作の継続が行われる（ステップＳ５）。
【００５０】
一方、誤り検出符号同士が一致しない場合、即ち、相手局の識別符号、及び周波数の各情報について誤り検出の場合には、鳴動回路１６は、誤り検出したことの鳴動を行う（ステップＳ９）。その後、制御回路６ａは、相手局の識別符号記憶回路１０及び周波数記憶回路１１に、相手局の識別符号および周波数を再設定する（ステップＳ７）。相手局の識別符号及び周波数の再設定は、例えば、Ｉ／Ｆ回路８を介して外部の通信端末装置４やセンタ装置５から行うことができる。
【００５１】
また、鳴動回路１６に圧電ブザーを用いた場合には、ステップＳ８の誤り未検出を例えば継続的な鳴動とし、ステップＳ９の誤り検出を例えば断続的な鳴動等して区別することで、無線通信時に必要となる情報が記憶されている情報が正常か異常かを外部に通知しても良い。
【００５２】
このように実施例２に係る検針用無線装置によっても、実施例１に係る検針用無線装置の効果と同様な効果を得ることができる。
【００５３】
なお、実施例２では、無線装置親機１ａのみを図４に示すような構成（電池交換可能な構成）としたが、例えば、無線装置子機２のみを図４に示す無線装置親機１ａのような構成（電池交換可能な構成）としても良く、あるいは、無線装置親機１ａ及び無線装置子機２の両方を図４に示すような構成（電池交換可能な構成）としても良い。
【実施例３】
【００５４】
図６は本発明の実施例３に係る無線装置親機の構成を示すブロック図である。本発明の実施例３に係る検針用無線装置は、図２に示す実施例１の無線装置親機１の誤り検出符号記憶回路１５に代えて、実施例３の無線装置親機１ｂに誤り訂正符号記憶回路１７を設けたことを特徴とし、実施例３の無線装置親機１ｂのその他の構成は、図２に示す実施例１の無線装置親機１の構成と同一構成である。本発明の実施例３に係る検針用無線システムの構成は、図１に示した実施例１に係る検針用無線システムの構成と同じである。
【００５５】
誤り訂正符号記憶回路１７は、自局の識別符号記憶回路９、相手局の識別符号記憶回路１０、周波数記憶回路１１のそれぞれの情報に対して予め算出した誤り訂正符号を記憶する。誤り訂正符号記憶回路１７は、電池１３を交換時にも情報が消去されないように、不揮発性の記憶回路で構成されている。
【００５６】
次に、このように構成される実施例３に係る無線装置親機の動作を図７に示すフローチャートを参照しながら説明する。
【００５７】
まず、電池１３を交換すると（ステップＳ１）、制御回路６ｂは、コネクタ１４を介して電池１３による電源投入を認識し、相手局の識別符号記憶回路１０から相手局の識別符号、周波数記憶回路１１から周波数、及び誤り訂正符号記憶回路１７から誤り訂正符号の各々の情報を読み出す（ステップＳ１０）。
【００５８】
次に、制御回路６ｂは、相手局の識別符号記憶回路１０から読み出した相手局の識別符号に対して算出した誤り訂正符号と、誤り訂正符号記憶回路１７から読み出した、相手局の識別符号に対する誤り訂正符号との一致確認を行う。
【００５９】
また、制御回路６ｂは、周波数記憶回路１１から読み出した周波数に対して算出した誤り訂正符号と、誤り訂正符号記憶回路１７から読み出した、周波数に対する誤り訂正符号との一致確認を行う。即ち、誤り訂正符号の確認を行う（ステップＳ１１ａ）。なお、誤り訂正符号処理としては、例えば、ＢＣＨ符号方式などがある。
【００６０】
ここで、誤り訂正符号同士が一致した場合、即ち、相手局の識別符号および周波数の各情報について誤り未検出の場合には、表示回路１２は、誤り未検出であることの表示を行い（ステップＳ４）、動作の継続が行われる（ステップＳ５）。
【００６１】
一方、誤り訂正符号同士が一致しない場合、即ち、相手局の識別符号および周波数の各情報について誤り検出の場合には、制御回路６ｂは、各情報について誤り訂正を行い（ステップＳ１２）、再度、誤り訂正符号の確認を行う（ステップＳ１２）。そして、各情報について誤り未検出の場合には、表示回路１２は、誤り未検出であることの表示を行い（ステップＳ４）、動作の継続が行われる（ステップＳ５）。
【００６２】
一方、前記各情報について誤り検出の場合には、表示回路１２は、誤り訂正不可であることの表示を行う（ステップＳ１３）。その後、制御回路６ｂは、相手局の識別符号記憶回路１０及び周波数記憶回路１１に、相手局の識別符号および周波数を再設定する（ステップＳ７）。相手局の識別符号及び周波数の再設定は、例えば、Ｉ／Ｆ回路８を介して外部の通信端末装置４やセンタ装置５から行うことができる。
【００６３】
このように、実施例３に係る検針用無線装置によれば、実施例１に係る検針用無線装置の効果と同様な効果が得られると共に、記憶回路に記憶している情報が誤っていても修復することができるため、電源などのノイズの影響を受けても無線通信時に必要となる情報の信頼性を向上できる。
【００６４】
なお、実施例３では、無線装置親機１ｂのみを図６に示すような構成（電池交換可能な構成）としたが、例えば、無線装置子機２のみを図６に示す無線装置親機１ｂのような構成（電池交換可能な構成）としても良く、あるいは、無線装置親機１ｂ及び無線装置子機２の両方を図６に示すような構成（電池交換可能な構成）としても良い。
【実施例４】
【００６５】
図８は本発明の実施例４に係る無線装置親機の構成を示すブロック図である。本発明の実施例４に係る検針用無線装置は、図６に示す実施例３の無線装置親機１ｂの表示回路１２に代えて、実施例４の無線装置親機１ｃに鳴動回路１６を設けたことを特徴とし、実施例４の無線装置親機１ｃのその他の構成は、図６に示す実施例３の無線装置親機１ｂの構成と同一構成である。本発明の実施例４に係る検針用無線システムの構成は、図１に示した実施例１に係る検針用無線システムの構成と同じである。
【００６６】
次に、このように構成される実施例４に係る無線装置親機の動作を図９に示すフローチャートを参照しながら説明する。
【００６７】
まず、電池１３を交換すると（ステップＳ１）、制御回路６ｃは、コネクタ１４を介して電池１３による電源投入を認識し、相手局の識別符号記憶回路１０から相手局の識別符号、周波数記憶回路１１から周波数、及び誤り訂正符号記憶回路１７から誤り訂正符号の各々の情報を読み出す（ステップＳ１０）。
【００６８】
次に、制御回路６ｃは、相手局の識別符号記憶回路１０から読み出した相手局の識別符号に対して算出した誤り訂正符号と、誤り訂正符号記憶回路１７から読み出した、相手局の識別符号に対する誤り訂正符号との一致確認を行う。
【００６９】
また、制御回路６ｃは、周波数記憶回路１１から読み出した周波数に対して算出した誤り訂正符号と、誤り訂正符号記憶回路１７から読み出した、周波数に対する誤り訂正符号との一致確認を行う。即ち、誤り訂正符号の確認を行う（ステップＳ１１ａ）。
【００７０】
ここで、誤り訂正符号同士が一致した場合、即ち、相手局の識別符号および周波数の各情報について誤り未検出の場合には、鳴動回路１６は、誤り未検出であることの鳴動を行い（ステップＳ８）、動作の継続が行われる（ステップＳ５）。
【００７１】
一方、誤り訂正符号同士が一致しない場合、即ち、各情報について誤り検出の場合には、制御回路６ｃは、各情報について誤り訂正を行い（ステップＳ１２）、再度、誤り訂正符号の確認を行う（ステップＳ１１ｂ）。各情報について誤り未検出の場合には、鳴動回路１６は、誤り未検出であることの鳴動を行い（ステップＳ８）、動作の継続が行われる（ステップＳ５）。
【００７２】
各情報について誤り検出の場合には、鳴動回路１６は、誤り訂正不可であることの鳴動を行う（ステップＳ１４）。その後、制御回路６ｃは、相手局の識別符号記憶回路１０及び周波数記憶回路１１に、相手局の識別符号および周波数を再設定する（ステップＳ７）。相手局の識別符号及び周波数の再設定は、例えば、Ｉ／Ｆ回路８を介して外部の通信端末装置４やセンタ装置５から行うことができる。
【００７３】
このように実施例４に係る検針用無線装置によっても、実施例３に係る検針用無線装置の効果と同様な効果を得ることができる。
【００７４】
なお、実施例４では、無線装置親機１ｃのみを図８に示すような構成（電池交換可能な構成）としたが、例えば、無線装置子機２のみを図８に示す無線装置親機１ｃのような構成（電池交換可能な構成）としても良く、あるいは、無線装置親機１ｃ及び無線装置子機２の両方を図８に示すような構成（電池交換可能な構成）としても良い。
【実施例５】
【００７５】
図１０は本発明の実施例５に係る無線装置親機の構成を示すブロック図である。本発明の実施例５に係る検針用無線装置としての無線装置親機１ｄは、図６に示す実施例３の無線装置親機１ｂの構成に、さらに、電池交換回数カウント回路１８、電池交換回数記憶回路１９を設けたことを特徴とし、無線装置親機１ｄのその他の構成は、図６に示す無線装置親機１ｂの構成と同一構成である。本発明の実施例５に係る検針用無線システムの構成は、図１に示した実施例１に係る検針用無線システムの構成と同じである。
【００７６】
電池交換回数カウント回路１８は、電池１３を交換した回数をカウントする。交換回数は、例えば電池１３の電源が投入された（電池１３が交換された）ことを制御回路６ｄが認識することで行われる。電池交換回数記憶回路１９は、電池交換回数カウント回路１８でカウントされた交換回数を記憶する。電池交換回数記憶回路１９は、電池１３を交換時にも情報が消去されないように、不揮発性の記憶回路で構成されている。
【００７７】
次に、このように構成される実施例５に係る無線装置親機の動作を図１１に示すフローチャートを参照しながら説明する。
【００７８】
まず、電池１３を交換すると（ステップＳ１）、制御回路６ｄは、コネクタ１４を介して電池１３による電源投入を認識し、相手局の識別符号記憶回路１０から相手局の識別符号、周波数記憶回路１１から周波数、及び誤り訂正符号記憶回路１７から誤り訂正符号の各々の情報を読み出して、誤り訂正符号の確認を行い、表示回路１２は、誤り検出符号の確認結果の表示を行う（ステップＳ１５）。
【００７９】
そして、制御回路６ｄは、電池交換回数記憶回路１９に記憶されている電池交換回数を読み出し、電池交換回数カウント回路１８は、読み出された電池交換回数を１だけインクリメントする（ステップＳ１６）。
【００８０】
制御回路６ｄは、電池交換回数カウント回路１８でインクリメントされた電池交換回数を電池交換回数記憶回路１９に記憶させる（ステップＳ１７）。表示回路１２は、電池交換回数カウント回路１８でインクリメントされた電池交換回数を表示する（ステップＳ１８）。
【００８１】
なお、電池交換回数を表示回路１２に表示させずに、無線回路７やＩ／Ｆ回路８を介して外部から電池交換回数を読み出すようにしても良い。また、表示回路１２にＬＥＤを用いた場合には、電池交換回数分、ＬＥＤを点滅させるなどして外部に通知しても良い。
【００８２】
このように構成することにより、電池交換時に電池交換回数を外部に通知し、例えばセンタ装置５では、例えば、機器（検針用無線装置）の銘板に表示している製造年月と電池交換回数とを比較し、機器の動作期間に対して電池交換回数が明らかに多い場合には、検針用無線装置のいずれかの回路が故障又は劣化して消費電流が増大したと判断できる。即ち、機器の異常を検出できるため、長期間使用しても機器の信頼性を確保できる検針用無線装置を提供できる。
【００８３】
また、実施例５では、無線装置親機１ｄのみを図１０に示すような構成（電池交換可能な構成）としたが、例えば、無線装置子機２のみを図１０に示す無線装置親機１ｄのような構成（電池交換可能な構成）としても良く、あるいは、無線装置親機１ｄ及び無線装置子機２の両方を図１０に示すような構成（電池交換可能な構成）としても良い。
【００８４】
なお、本発明は、実施例１乃至実施例５に係る検針用無線装置に限定されるものではない。例えば、実施例１乃至実施例５に係る検針用無線装置のうちの２つ以上の組み合わせにも適用可能であるのは勿論である。
【産業上の利用可能性】
【００８５】
本発明の検針用無線装置は、電気、ガス、水道のメータなどとの通信を無線で行う無線装置親機や無線装置子機等に適用可能である。
【図面の簡単な説明】
【００８６】
【図１】本発明の実施例１に係る検針用無線装置を含む検針用無線システムの構成を示すブロック図である。
【図２】本発明の実施例１に係る検針用無線システムに設けられた無線装置親機の構成を示すブロック図である。
【図３】本発明の実施例１に係る無線装置親機の電池交換時の動作を示すフローチャートである。
【図４】本発明の実施例２に係る無線装置親機の構成を示すブロック図である。
【図５】本発明の実施例２に係る無線装置親機の電池交換時の動作を示すフローチャートである。
【図６】本発明の実施例３に係る無線装置親機の構成を示すブロック図である。
【図７】本発明の実施例３に係る無線装置親機の電池交換時の動作を示すフローチャートである。
【図８】本発明の実施例４に係る無線装置親機の構成を示すブロック図である。
【図９】本発明の実施例４に係る無線装置親機の電池交換時の動作を示すフローチャートである。
【図１０】本発明の実施例５に係る無線装置親機の構成を示すブロック図である。
【図１１】本発明の実施例５に係る無線装置親機の電池交換時の動作を示すフローチャートである。
【符号の説明】
【００８７】
１、１ａ〜１ｃ  無線装置親機
２、２ａ〜２ｎ  無線装置子機
３、３ａ〜３ｎ  ガスメータ
４  通信端末装置
５  センタ装置
６、６ａ〜６ｄ  制御回路
７  無線回路
８  Ｉ／Ｆ回路
９  自局の識別符号記憶回路
１０  相手局の識別符号記憶回路
１１  周波数記憶回路
１２  表示回路
１３  電池
１４  コネクタ
１５  誤り検出符号記憶回路
１６  鳴動回路
１７  誤り訂正符号記憶回路
１８  電池交換回数カウント回路
１９  電池交換回数記憶回路
【図１】
2006222906.tif 000003
【図２】
2006222906.tif 000004
【図３】
2006222906.tif 000005
【図４】
2006222906.tif 000006
【図５】
2006222906.tif 000007
【図６】
2006222906.tif 000008
【図７】
2006222906.tif 000009
【図８】
2006222906.tif 000010
【図９】
2006222906.tif 000011
【図１０】
2006222906.tif 000012
【図１１】
2006222906.tif 000013